(57)【特許請求の範囲】
【請求項１】
第1及び第2カーテンレール(11,12)が互いに所定の間隔をあけて並列に配置され、パネルスクリーン(16)の上縁に第１及び第２ランナ(13,14)が設けられ、前記第１ランナ(13)が前記第１カーテンレール(11)に走行可能に設けられ、前記第２ランナ(14)が前記第２カーテンレール(12)に走行可能に設けられた遮蔽装置において、
前記第1ランナ(13)が前記パネルスクリーン(16)の上縁の幅方向の一方の端部から中央の間の全部又はその間のいずれかの間で移動可能に取付けられ、
前記第２ランナ(14)が前記パネルスクリーン(16)の上縁の幅方向の中央から他方の端部の間のいずれかに固定された
ことを特徴とする遮蔽装置。
【発明の詳細な説明】
【技術分野】
【０００１】
本発明は、複数のパネルスクリーンをカーテンレールに吊設して構成され、屋内を間仕切り、或いは、屋内の開口部を遮蔽するためにその複数のパネルスクリーンを開閉操作して使用される遮蔽装置に関するものである。
【背景技術】
【０００２】
従来、棒状の吊桿にカーテン生地、シート状物又は板材を吊設させた複数枚のパネルスクリーンにより屋内を間仕切り、或いは、屋内の開口部を遮蔽する遮蔽装置が知られている。この複数のパネルスクリーンを有する遮蔽装置においては、そのパネルスクリーンを引き出した際に、隣り合うパネルスクリーンとの間に重なりを持たせるため、１枚若しくは２枚のパネルスクリーンを吊設する毎に１条のカーテンレールを必要としていた。そのため、例えば４枚のパネルスクリーンを吊設する際には、４条若しくは２条のカーテンレールによってパネルスクリーンを吊設する必要があった。このように、パネルスクリーンを吊設するカーテンレールの数はパネルスクリーンの枚数に応じて決定されており、パネルスクリーンの枚数が増加すればするほどカーテンレールの数が増加し、パネルスクリーンを設置するために必要となるスペースが大きくなるという問題点があった。
【０００３】
この点を解消するために、パネルスクリーンをカーテンレールに対して水平方向において僅かに傾斜させて吊設することで、パネルスクリーンの枚数に関係なく２本のカーテンレールにてパネルスクリーンを開閉可能に支持した遮蔽装置が提案されている（例えば、特許文献１参照）。具体的に説明すると、この遮蔽装置では、第1及び第2カーテンレールを並列に配置し、パネルスクリーンの上縁の幅方向の両端に第１及び第２ランナを設け、その第１ランナを第１カーテンレールに走行可能に設け、第２ランナを第２カーテンレールに走行可能に設ける。するとパネルスクリーンはカーテンレールに対して水平方向において僅かに傾斜し、畳み込み操作時には隣り合うパネルスクリーンの重なりを大きくすることで開度を大きくし、引き出し操作時には隣り合うパネルスクリーンの重なりを小さくすることにより、複数枚のパネルスクリーンにより屋内を間仕切り、或いは屋内の開口部を遮蔽するようになっている。
【特許文献１】実公平１−７８３０号公報（実用新案登録請求の範囲、第１図）
【発明の開示】
【発明が解決しようとする課題】
【０００４】
しかし、パネルスクリーンをカーテンレールに対して水平方向において傾斜させ、第１及び第２カーテンレールにその傾斜させたパネルスクリーンを開閉可能に吊設した上記従来の遮蔽装置では、第１及び第２カーテンレールの間隔によりパネルスクリーンの傾斜角度が決定されるけれども、その第１及び第２カーテンレールの間隔を狭くしてカーテンレールに対するパネルスクリーンの傾斜角度を小さくすると、畳み込み操作時に隣り合うパネルスクリーンとの重なりを大きくすることができずに、畳み込み操作時に重なり合う複数のパネルスクリーンの全体のカーテンレールの長手方向における幅で表される畳み代が拡大する不具合があった。一方、第１及び第２カーテンレールの間隔を広げてカーテンレールに対するパネルスクリーンの傾斜角度を大きくすると、畳み込み操作時に隣り合うパネルスクリーンとの重なりが大きくなり、その畳み代を減少させることができるけれども、引き出し操作時に隣り合うパネルスクリーンと間に生じる隙間が拡大して遮蔽効果が減少する不具合があった。
本発明の目的は、畳み込み操作時における畳み代を減少させるとともに、引き出し操作時に生じるパネルスクリーン間の隙間を減少し得る遮蔽装置を提供することにある。
【課題を解決するための手段】
【０００５】
請求項１に係る発明は、図１に示すように、第１及び第２カーテンレール１１，１２が互いに所定の間隔をあけて並列に配置され、パネルスクリーン１６の上縁に第１及び第２ランナ１３，１４が設けられ、第１ランナ１３が第１カーテンレール１１に走行可能に設けられ、第２ランナ１４が第２カーテンレール１２に走行可能に設けられた遮蔽装置の改良である。
その特徴ある構成は、第１ランナ１３がパネルスクリーン１６の上縁の幅方向の一方の端部から中央の間の全部又はその間のいずれかの間で移動可能に取付けられ、第２ランナ１４がパネルスクリーン１６の上縁の幅方向の中央から他方の端部の間のいずれかに固定されたところにある。
【０００６】
この請求項１記載された遮蔽装置では、第１ランナ１３が移動して第２ランナ１４との間隔Ｗが変化することにより、パネルスクリーン１６の第１及び第２カーテンレール１１，１２に対する水平方向における傾斜角度θを変化させることができる。そして、複数枚のパネルスクリーン１６を引き出して屋内を間仕切り、或いは、屋内の開口部をその複数枚のパネルスクリーン１６で遮蔽する際に、図３に示すように、第１ランナ１３と第２ランナ１４の間隔Ｗを最大とし、パネルスクリーン１６の第１及び第２カーテンレール１１，１２に対する傾斜角度θを最小とすれば、引き出し操作時におけるあるパネルスクリーン１６の側端部と、それに隣接するパネルスクリーン１６の重なり合う側端部との間に生じる隙間Ｄを最小とすることができる。
一方、図４に示すように、第１ランナ１３と第２ランナ１４との間隔Ｗを減少させるとパネルスクリーン１６の第１及び第２カーテンレール１１，１２に対する傾斜角度θは増加する。このため、パネルスクリーン１６の第１及び第２カーテンレール１１，１２に対する傾斜角度θを最大として複数のパネルスクリーン１６を畳み込むと、隣り合うパネルスクリーン１６との重なりが最も大きくなり、畳み込み時に重なり合う複数のパネルスクリーン１６全体のカーテンレール１１，１２の長手方向における幅で表される畳み代Ｈを最も減少させることができる。
【発明の効果】
【０００７】
本発明の遮蔽装置では、第１ランナをパネルスクリーンの上縁の幅方向の一方の端部から中央の間の全部又はその間のいずれかの間で移動可能に取付け、第２ランナをパネルスクリーンの上縁の幅方向の中央から他方の端部の間のいずれかに固定したので、第１ランナを移動させて第２ランナとの間隔を変化させることにより、パネルスクリーンの第１及び第２カーテンレールに対する水平方向における傾斜角度を変化させることができる。従って、複数枚のパネルスクリーンを引き出して遮蔽する際に、パネルスクリーンの第１及び第２カーテンレールに対する傾斜角度を最小とすれば、引き出し時におけるあるパネルスクリーンの側端部と、それに隣接するパネルスクリーンの重なり合う側端部との間に生じる隙間を最小とすることができ、その傾斜角度を最大として複数のパネルスクリーンを畳み込めば、隣り合うパネルスクリーンとの重なりが最も大きくなり、畳み込み時における畳み代を減少させることができる。
【発明を実施するための最良の形態】
【０００８】
次に本発明を実施するための最良の形態を図面に基づいて説明する。
図１に示すように、本発明の遮蔽装置１０は、互いに所定の間隔をあけて並列に配置された第1及び第２カーテンレール１１，１２を備える。図７に詳しく示すように、この実施の形態における第１及び第２カーテンレール１１，１２は金属又は樹脂の押出成形により作られ、それらは隣接して一体的に形成される。そしてこの第１及び第２カーテンレール１１，１２はそれぞれが同一の断面形状に形成される。即ち、第１及び第２カーテンレール１１，１２は、断面が四角形であって長手方向に連続して形成された第１及び第２空間１１ａ，１２ａと、この第１及び第２空間１１ａ，１２ａの幅より小さな幅を有し、この第１及び第２空間１１ａ，１２ａの下部をその下方に存在する外部に開放する第１及び第２スリット１１ｂ，１２ｂを備える。この一体的に形成された第１及び第２カーテンレール１１，１２は、取付ブラケット１５を介して水平であってかつ真っ直ぐな状態で壁面に固定される。
【０００９】
図１に戻って、本発明の遮蔽装置１０は、第１カーテンレール１１に走行可能に設けられた第１ランナ１３と、第２カーテンレール１２に走行可能に設けられた第２ランナ１４を備える。第１ランナ１３と第２ランナ１４は同一構造であるので、第２ランナ１４を代表して説明すると、図５に示すように、このランナ１４は、第２カーテンレール１２における第２スリット１２ｂの幅より大きく第２空間１２ａの幅より小さな外径を有する円板状の３枚のフランジ１４ａ，１４ｂ，１４ｃが、第２スリット１２ｂの幅より小さな外径を有する断面円形のボス１４ｄ，１４ｅを介して積層された構造を有し、最下段のフランジ１４ｃには同じ厚さの膨出部１４ｆが併設され、その膨出部１４ｆには取付孔１４ｇが形成される。そして、図７に示すように、最上段のフランジ１４ａを第２カーテンレール１２における第２空間１２ａに挿入し、その最上段のフランジ１４ａと中断のフランジ１４ｂを接続するボス１４ｄを第２カーテンレール１２の第２スリット１２ｂに挿入することによりこの第２ランナ１４は、第２カーテンレール１２を長手方向に移動可能に構成される。そして、同様に、第１ランナ１３の最上段のフランジ１３ａを第１カーテンレール１１における第１空間１１ａに挿入し、その最上段のフランジ１３ａと中断のフランジ１３ｂを接続するボス１３ｄを第１カーテンレール１１の第１スリット１１ｂに挿入することによりこの第１ランナ１３は、第１カーテンレール１１を長手方向に移動可能に構成される。
【００１０】
図１に戻って、本発明の遮蔽装置１０は、上縁に上述した第１及び第２ランナ１３，１４が設けられたパネルスクリーン１６を更に備える。この実施の形態におけるパネルスクリーン１６は、第１ランナ１３及び第２ランナ１４が設けられた棒状の吊桿１７と、その吊桿１７に吊設されたカーテン生地１８を備える。図６及び図７に示すように、この吊桿１７は金属又は樹脂の押出成形材であって、四角状の断面における上側には上記第１及び第２ランナ１３，１４が取付けられる取付レールが形成される。この取付レールには、上述したカーテンレール１１，１２における第１及び第２空間１１ａ，１２ａと同一の断面を有し長手方向に連続して形成された第３空間１７ａと、この第３空間１７ａの幅より小さな幅を有し、この第３空間１７ａの上部をその上方に存在する外部に開放する第３スリット１７ｂを備える。そして、第１及び第２ランナ１３，１４における最下段のフランジ１３ｃ，１４ｃを第３空間１７ａに挿入し、その最下段のフランジ１３ｃ，１４ｃと中断のフランジ１３ｂ，１４ｂを接続するボス１３ｅ，１４ｅを第３スリット１７ｂに挿入することにより第１及び第２ランナ１３，１４は、吊桿１７にその長手方向に移動可能に取付けられる。
【００１１】
一方、吊桿１７の下側にはカーテン生地１８を取付ける生地用レールが形成される。この生地用レールは断面が四角形であって吊桿１７の長手方向に連続して形成された第４空間１７ｃと、この第４空間１７ｃの幅より小さな幅を有し、この空間を外部に開放する第４スリット１７ｄからなる。この吊桿１７に吊設されるカーテン生地１８の上縁にはこの第４空間１７ｃに挿通可能であって第４スリット１７ｄの幅より大きな外径を有する棒状部材１８ａが設けられる。そして、この棒状部材１８ａはその棒状部材１８ａに巻き付けられたカーテン生地１８の上部とともに生地用レールにおける断面四角状の第４空間１７ｃに挿入される。第４空間１７ｃへの挿入は吊桿１７の長手方向のいずれかの端部から行われ、その棒状部材１８ａが設けられたカーテン生地１８の上部を生地用レールを構成する第４スリット１７ｄに挿入することにより、吊桿１７の下側にカーテン生地１８が吊設される。ここで、符号１７ｅは、第１雄ねじ１９ａ（図６）が螺着されるねじ用丸溝であって、図６に示すように、カーテン生地１８が下側に吊設された吊桿１７の両端には、そのカーテン生地１８の上部がその生地用レールを構成する第４空間１７ｃから抜け出ることを防止するためのエンドキャップ１９が、それに挿通された第１雄ねじ１９ａをねじ用丸溝１７ｅに螺着することによりそれぞれ設けられる。
【００１２】
図６に示すように、パネルスクリーン１６の上縁にその吊桿１７に沿って移動可能に設けられた第１ランナ１３は、パネルスクリーン１６の上縁の幅方向の一方の端部から中央の間の全部又はその間のいずれかの間で移動可能に制限される。この実施の形態では、パネルスクリーン１６の上縁の幅方向の左側における一方の端部から中央の間の全部の間で第１ランナ１３が移動可能に取付けられる例を示す。移動の制限は第１ランナ１３が移動可能に挿入された第３空間１７ａを第２雄ねじ２１により封鎖することにより行われる。即ち、パネルスクリーン１６を構成する吊桿１７の幅方向中央の第３空間１７ａに第２雄ねじ２１を螺着し、第１ランナ１３は、パネルスクリーン１６の上縁を構成する吊桿１７の幅方向の一方の端部に取付けられたエンドキャップ１９とその中央に設けられた第２雄ねじ２１との間の全部の間で移動可能に取付けられる。
【００１３】
一方、第２ランナ１４は、パネルスクリーン１６の上縁の幅方向の中央から他方の端部の間のいずれかに固定される。この実施の形態では、第２ランナ１４がパネルスクリーン１６の上縁の幅方向の中央から右側における他方の端部の間の中央部分に固定される例を示す。この固定は第２ランナ１４の膨出部１４ｆに形成された取付孔１４ｇ（図５）に第３雄ねじ２２を挿入し、その第３雄ねじ２２を第３空間１７ａが形成された吊桿１７に螺着することにより行われる。この実施の形態では、パネルスクリーン１６の幅方向中央から他方の端部の間の中央部分に第２ランナ１４の取付孔１４ｇに挿入された第３雄ねじ２２を螺着する。これにより第２ランナ１４は、パネルスクリーン１６の上縁の幅方向の中央から他方の端部の間の中央部分に固定される。
【００１４】
図１に戻って、パネルスクリーン１６の上縁に設けられた第１及び第２ランナ１３，１４の内の一方である第１ランナ１３は第１カーテンレール１１に走行可能に設けられ、他方である第２ランナ１４は第２カーテンレール１２に走行可能に設けられる。この場合、引き出し方向に第２ランナ１４が位置し、畳み込み方向に第１ランナ１３が位置するようにパネルスクリーン１６が第１及び第２カーテンレール１１，１２に吊設される。従って、パネルスクリーン１６は互いに並設された第１及び第２カーテンレール１１，１２に対して水平方向において傾斜してその第１及び第２カーテンレール１１，１２に吊設される。そして、第１ランナ１３が移動して第２ランナ１４との間隔Ｗが変化することにより、パネルスクリーン１６の第１及び第２カーテンレール１１，１２に対する水平方向における傾斜角度θが変化するように構成される。即ち、図４に示すように、第１ランナ１３と第２ランナ１４の間隔Ｗが小さくなると、パネルスクリーン１６の第１及び第２カーテンレール１１，１２に対する傾斜角度θは増加し、図３に示すように、第１ランナ１３と第２ランナ１４の間隔Ｗが大きくなると、パネルスクリーン１６の第１及び第２カーテンレール１１，１２に対する傾斜角度θは減少するように構成される。
【００１５】
次に、このように構成された本発明の遮蔽装置において複数枚のパネルスクリーン１６が引き出され、その複数枚のパネルスクリーン１６により屋内が間仕切り、或いは、屋内の開口部が遮蔽された状態について説明する。
図２及び図３に示すように、全てのパネルスクリーン１６が引き出された状態では、第１ランナ１３と第２ランナ１４の間隔Ｗが最大とされ、パネルスクリーン１６の第１及び第２カーテンレール１１，１２に対する傾斜角度θは最小にされる。そして、あるパネルスクリーン１６を構成するカーテン生地１８の側端部を、隣り合うパネルスクリーン１６のカーテン生地１８の側端部に重なり合させることにより、複数枚のパネルスクリーン１６による遮蔽を行う。ここで、第１ランナ１３と第２ランナ１４の間隔Ｗを最大とし、パネルスクリーン１６の第１及び第２カーテンレール１１，１２に対する傾斜角度θを最小とするので、あるパネルスクリーン１６の側端部と、それに隣接するパネルスクリーン１６の重なり合う側端部との間に生じる隙間Ｄを最小とすることができる。
【００１６】
次に、引き出されて屋内を間仕切り、或いは屋内の開口部を遮蔽した複数枚のパネルスクリーンを、その引き出し状態から畳み込む際の動作を説明する。
図２に示す状態からパネルスクリーン１６の畳み込み操作を行うためには、図１の破線矢印で示すように複数枚のパネルスクリーン１６を畳み込み方向にそれぞれ移動させる。すると、畳み込み方向に位置し遮蔽状態でパネルスクリーン１６の一方の端部に位置した第１ランナ１３は、第１カーテンレール１１との間に生じる摩擦抵抗により、パネルスクリーン１６の移動とともにパネルスクリーン１６の一方の端部からその幅方向の中央に向かって移動する。破線矢印で示すようにパネルスクリーン１６の一方の端部から中央に向かって第１ランナ１３が移動すると、第１ランナ１３と第２ランナ１４との間隔Ｗは減少してそのパネルスクリーン１６の第１及び第２カーテンレール１１，１２に対する傾斜角度θが増加する。このため、パネルスクリーン１６は第１及び第２カーテンレール１１，１２に対する傾斜角度θを増加させつつ畳み込み方向に移動する。そして、パネルスクリーン１６が畳み込み位置に達すると、第１ランナ１３がパネルスクリーン１６の幅方向の中央に位置し、パネルスクリーン１６は第１及び第２カーテンレール１１，１２に対する傾斜角度θが最大となり、畳み込み操作時に隣り合うパネルスクリーン１６との重なりを最も大きくする。従って、図４に詳しく示すように、第１及び第２カーテンレール１１，１２が真っ直ぐであっても、複数のパネルスクリーン１６は畳み込み状態で、重なり合う複数のパネルスクリーン１６の全体のカーテンレール１１，１２の長手方向における幅で表される畳み代Ｈを最も減少させる。また、第１及び第２カーテンレール１１，１２が真っ直ぐであってもその畳み代Ｈを減少させるので、第１及び第２カーテンレール１１，１２を曲げ加工する必要がある場合に比較して、その施工を容易にすることができ、曲げ加工に伴う曲げ方向にパネルスクリーン１６が飛び出すような事態も解消され、その見栄えを向上させることができる。
【００１７】
次に、パネルスクリーンの畳み込み状態からそのパネルスクリーンを引き出す際の動作を説明する。
図４に示す状態からパネルスクリーン１６を図１の実線矢印で示すように引き出すと、畳み込み状態でパネルスクリーン１６の幅方向の中央に位置した第１ランナ１３は、第１カーテンレール１１との間に生じる摩擦抵抗により、パネルスクリーン１６の移動とともにパネルスクリーン１６の中央からその一方の端部に向かって移動する。実線矢印で示すように、パネルスクリーン１６の中央から一方の端部に向かって第１ランナ１３が移動すると、そのパネルスクリーン１６の第１及び第２カーテンレール１１，１２に対する傾斜角度θが減少し、パネルスクリーン１６は第１及び第２カーテンレール１１，１２に対する傾斜角度θを減少させつつ引き出される。そして、図２及び図３に示すように、あるパネルスクリーン１６を構成するカーテン生地１８の側端部を、隣り合うパネルスクリーン１６のカーテン生地１８の側端部に重なり合させることにより、複数枚のパネルスクリーン１６による遮蔽を行う。遮蔽状態で、第１ランナ１３と第２ランナ１４の間隔Ｗを最大とすることにより、パネルスクリーン１６の第１及び第２カーテンレール１１，１２に対する傾斜角度θも最小となり、あるパネルスクリーン１６の側端部と、それに隣接するパネルスクリーン１６の重なり合う側端部との間に生じる隙間Ｄを最小とすることができる。
【００１８】
なお、上述した実施の形態では、第１及び第２カーテンレール１１，１２が押出成形により隣接して一体的に形成される場合を説明したが、第1及び第2カーテンレール１１，１２が互いに所定の間隔をあけて並列に配置される限り、図８に示すように、第１及び第２カーテンレール１１，１２はそれぞれが別に独立した市販のカーテンレールを用いても良い。この場合には市販のカーテンレールを用いることができ、市販のカーテンレールには、その長さ方向に続く蟻溝を有するチャンネル型レールと、スリットのないパイプ型レールがあり、いずれのレールであっても本願の第１及び第２カーテンレール１１，１２として用いることができる。
【００１９】
また、上述した実施の形態では、３枚のフランジ１４ａ，１４ｂ，１４ｃがボス１４ｄ，１４ｅを介して積層された第１及び第２ランナ１３，１４を用いて説明したが、図８に示すように、カーテンレール１１，１２に移動可能に設けられた上部ランナ３１と、パネルスクリーン１６の上縁に沿って移動可能に設けられた下部ランナ３２からなるものを第１及び第２ランナ３０，３０として用いても良い。図における上部ランナ３１は係止用のリング３１ａ，３１ａが下部に形成されたものであって、下部ランナ３２にはその係止用リング３１ａ，３１ａに係止可能なフック３２ａ，３２ａが上部に形成されたものを示す。この場合には予めカーテンレール１１，１２に上部ランナ３１，３１を設けておくことができ、その後パネルスクリーン１６の上縁に設けられた下部ランナ３２，３２をその上部ランナ３１，３１に係止させることができるという効果を生じさせる。この場合、市販のカーテンレールを本発明の第１及び第２カーテンレール１１，１２として用いた場合には、市販のランナを上部ランナ３１，３１として用いることができる。図示しないが、例えば、市販のチャンネル型レールを本発明の第１及び第２カーテンレールとして用いた場合には、それに内嵌するＴ字形断面の頭部を有する市販の市販のランナを上部ランナとして用いることができる。また、パイプ型レールを本発明の第１及び第２カーテンレールとして用いた場合には、そのパイプ型レールに外嵌するリング状の頭部を有する市販のランナを上部ランナとして用いることができる。
【００２０】
また、上述した実施の形態では、第１及び第２カーテンレール１１，１２が取付ブラケット１５を介して壁面に固定される場合を説明したが、第1及び第2カーテンレール１１，１２は互いに所定の間隔をあけて並列に配置される限り、第１及び第２カーテンレール１１，１２を天井に設けても良い。
更に、上述した実施の形態では、棒状の吊桿１７にカーテン生地１８が吊設されたパネルスクリーン１６を説明したが、パネルスクリーンは、吊桿１７にシート状物を吊設させたものであっても良く、吊桿１７に板材を吊設させたものであっても良い。このように吊設するものを変更可能な吊桿を備えれば、その吊桿１７に吊設されるものを変更するだけの比較的単純な作業で、見栄えの異なるパネルスクリーン１６を得ることが可能になる。
【図面の簡単な説明】
【００２１】
【図１】本発明実施形態の遮蔽装置におけるパネルスクリーンの一部が引き出された状態を示す斜視図である。
【図２】その遮蔽装置における全てのパネルスクリーンが引き出された状態を示す斜視図である。
【図３】図２の上面図である。
【図４】全てのパネルスクリーンが畳み込まれた状態を示す図３に対応する上面図である。
【図５】そのランナの斜視図である。
【図６】図１のＡ−Ａ線断面図である。
【図７】図１のＢ−Ｂ線断面図である。
【図８】本発明に使用する別のランナの構成を示す図７に対応する断面図である。
【符号の説明】
【００２２】
１１  第１カーテンレール
１２  第２カーテンレール
１３  第１ランナ
１４  第２ランナ
１６  パネルスクリーン
【図１】
0004762691.tif 000002
【図２】
0004762691.tif 000003
【図３】
0004762691.tif 000004
【図４】
0004762691.tif 000005
【図５】
0004762691.tif 000006
【図６】
0004762691.tif 000007
【図７】
0004762691.tif 000008
【図８】
0004762691.tif 000009